(57)【要約】【課題】  従来の加温装置は大型で携行し難かったが、これを小型化して携行容易とした。【解決手段】  本発明は、人体の一部に接触させて当該接触部を加温する携行容易な局部加温装置であって、断熱性を有する支持体と、支持体上に載置された面状ヒータと、面状ヒータ上に載置された玉体封入用の袋体と、袋体に封入された玉体と、支持体、面状ヒータおよび袋体が一体的に囲繞される外皮体とが備えられ、前記玉体は袋体内にて移動可能なるように封入されていることを特徴とするものである。【選択図】図１
2018051274.tif 000002
【特許請求の範囲】
【請求項１】
人体の一部に直接もしくは間接的に接触させて当該接触部を加温する携行容易な局部加温装置であって、
断熱性を有する支持体と、
前記支持体上に載置された面状ヒータと、
前記面状ヒータ上に載置された玉体封入用の袋体と、
前記袋体に封入された玉体と、
前記支持体、面状ヒータおよび玉体が封入された袋体が一体的に囲繞される外皮体と、が備えられ、
前記面状ヒータは電熱線が平面的に配置され封止されたシリコンラバーにて構成され、前記電熱線が配置されていない部分にサーモスタットが装着されており、
前記玉体は前記袋体内にて移動可能に封入されていることを特徴とする局部加温装置。
【請求項２】
前記玉体は小石である請求項１記載の局部加温装置。
【請求項３】
前記玉体を平行な２枚の仮想平板で挟持した際の最小幅寸法をＸ、最大幅寸法をＹとした際に下記の関係が成立する請求項１もしくは２記載の局部加温装置。
Ｘ／Ｙ≧０．０５
【請求項４】
前記袋体の少なくとも前記外皮体に接触する部分は炭化綿にて形成されている請求項１ないし３のいずれかに記載の局部加温装置。
【請求項５】
前記外皮体の、人体に接触する側面にゲルマニウムが印刷されている請求項１ないし４のいずれかに記載の局部加温装置。
【請求項６】
前記玉体は前記袋体に奇数個が封入されている請求項１ないし５のいずれかに記載の局部加温装置。
【請求項７】
前記玉体は前記袋体に３個が封入され平面的に配置されている請求項１ないし６のいずれかに記載の局部加温装置。
【請求項８】
前記玉体は２分石である請求項１ないし７のいずれかに記載の局部加温装置。
【発明の詳細な説明】
【技術分野】
【０００１】  本発明は、人体の所望の部位に直接もしくは間接的に接触させて当該接触部を加温し、当該部位の血行をよくする等の体調の改善に寄与し得る局部加温装置である。
【背景技術】
【０００２】  従来より、温熱療法による温熱効果を利用した健康設備が種々提供されている。近年特に脚光を浴びているものに、岩盤浴があり、この岩盤浴は、温めた天然石や岩石を加工したベッドの上で横になって汗をかくサウナ形式の風呂の一種で、発汗作用によって新陳代謝の活発化を促し、美容と健康の増進を図るものとして、年々利用者が増加する傾向にある。【０００３】  しかしながら、上記のような岩盤浴あるいはサウナ風呂などは、大掛かりな設備を要するため、一般家庭で簡単に設置するというわけにはいかない。そこで、大掛かりな設備を要することなく、一般家庭などでも簡単に設置でき且つ手軽に使用できると共に、製作コストが安く、しかも十分な温熱効果を奏することのできる健康マットや健康腰掛が提案されている。
【先行技術文献】
【特許文献】
【０００４】
【特許文献１】  実用新案登録第３１３３５１０号公報
【０００５】
【特許文献２】  実用新案登録第３１３３５０９号公報
【発明の開示】
【発明が解決しようとする課題】
【０００６】  上記の特許文献１には、マット基材の上に面状ヒータを配置し、この面状ヒータの上に袋に詰めた玉砂利を配置し、これら支持体、面状ヒータ及び袋詰め玉砂利をカバーで被包したもので、面状ヒータによって玉砂利を所要温度に加熱するようにした健康マットが記載されている。【０００７】  また、特許文献２には、上面が開口した浅い箱状の腰掛本体の底部側に面状ヒータを配備し、その上に所要量の玉砂利を配置してなるもので、面状ヒータによって玉砂利を所要温度に加熱し、この加熱した玉砂利の上に腰を掛けるようにした健康腰掛が記載されている。【０００８】  上記特許文献１、２に記載の健康マットや健康腰掛は所望の効果を奏するが、大きな電源を要し、大掛かりとなって旅行などに簡単に携行することは難しい。
また人体の腰や首などを局所的に加温することも際には不便である。【０００９】  本発明は、かかる従来の技術の難点を改良したもので、人体の所望の部位に直接もしくは間接的に接触させて当該接触部を加温し、当該部位の血行をよくする等の体調の改善に寄与し得る局部加温装置を提供せんとするものである。
【課題を解決するための手段】
【００１０】（１）  本発明は、人体の一部に直接もしくは間接的に接触させて当該接触部を加温する携行傾行容易な局部加温装置であって、断熱性を有する支持体と、前記支持体上に載置された面状ヒータと、前記面状ヒータ上に載置された玉体封入用の袋体と、前記袋体に封入された玉体と、前記支持体、面状ヒータおよび玉体が封入された袋体が一体的に囲繞される外皮体と、が備えられ、前記面状ヒータは電熱線が平面的に配置され封止されたシリコンラバーにて構成され、前記電熱線が配置されていない部分にサーモスタットが装着され、前記玉体は前記袋体内にて移動可能に封入されていることを特徴とする。【００１１】  このように構成されていると、全体を小型に形成するとこができると共に、玉体は前記袋体内にて移動可能に封入されているので、当該玉体が移動することによって、人体の特定の部位に固定的に接触しないので、低温火傷を生じるおそれが少ない。【００１２】（２）前記玉体は小石であることが望ましい。
玉体が小石であると形が不揃いで、人体に接触する部分が一定とはならず、低温火傷を生じるおそれが少ない。
また天然石であると、調達もしやすくなる。【００１３】（３）前記玉体を平行な２枚の仮平板で挟持した際の最小幅寸法をＸ、最大幅寸法をＹとした際に下記の関係が成立することが望ましい。
Ｘ／Ｙ≧０．０５
上記のような関係が成立すると、玉体は極端に扁平化せず、前記袋体ないで転がりやすくなり、人体には点接触に近い状態で接触するので、低温火傷を生じるおそれが少ない。【００１４】（４）前記袋体の少なくとも前記外皮体に接触する部分は炭化綿にて形成されていることが好ましい。
前記外皮体に接触する部分は人体に接触する部分でもあり、この部分が炭化綿にて形成されていると、この部分から人体に向けて遠赤外線が放射され、人体の深部まで温められることになる。【００１５】（５）前記外皮体の、人体に接触する側面にゲルマニウムが印刷されていることが望ましい。
ゲルマニウムは３２°以上に温められるとマイナス電子を放出する特性があり、このゲルマニウムから放出された無数のマイナス電子は、使用者の皮膚を浸透し、毛細血管に到達して、血液中で電子の移動が行なわれ、結果的に血行や代謝にも良い影響が与えられる。【００１６】（６）前記玉体は前記袋体に奇数個が封入されていることが望ましい。
偶数個であると、血管が２個の玉体の間に位置し、血管上に玉体が位置する確率が低くなるが、奇数個であると玉体が血管上に位置する確率が高くなる。【００１７】（７）前記玉体は前記袋体に３個が封入され平面的に配置されていることが望ましい。
玉体が３個が封入され平面的に配置されていると、玉体の数が少ないにも関わらず玉体が血管上に位置する確率が高くなる。【００１８】（８）前記玉体は２分石であることが望ましい。
前記玉体が２分石であると、その直径が１０ｍｍ〜１５ｍｍの間になるので、携行しやすい大きさ、重量となる。
【発明の効果】
【００１９】  本発明では、全体を小型に形成するとこができると共に、玉体は袋体内にて移動可能に封入されているので、当該玉体が移動することによって、人体の特定の部位に固定的に接触しないので、低温火傷を生じるおそれが少ない。
【図面の簡単な説明】
【００２０】
【図１】本発明の一実施の形態の縦断面図である。
【図２】本発明の一実施の形態のヒータの平面図である。
【図３】本発明の一実施の形態の外観斜視図である。
【図４】本発明の一実施の形態の平面図である。
【図５】本発明の一実施の形態の小石の平面図である。
【図６】本発明の実施の形態との比較例における血管上の小石の状態を示す平面図である。
【図７】本発明の一実施の形態の血管上の小石の状態を示す平面図である。
【発明を実施するための形態】
【００２１】  図１は、本実施の形態に係る局部加温装置の縦断面図であり、発泡ウレタンフォームなどの断熱性を有する支持体１の上面に、面状ヒータ２が固着されている。前記面状ヒータ２は図にその平面を示しているように、厚さが１．５ｍｍ程度のシリコンラバーのシートに電熱線３が平面的に配置され封止されている。
【００２２】  前記電熱線３の接続端部は外部へ繋がるリード線４に接続されている。また前記電熱線３が配置されていない部分にサーモスタット５が装着されており、このサーモスタット５により、電熱線３への電力の供給をコントロールしている。
なお、前記ヒータの消費電力は２．５Ｗ程度が適当である。
【００２３】  前記面状ヒータ２上に、袋体７が固着され、当該袋体７に、玉体としての「みはま石」と称される黒色の粘板岩にて形成されている天然の小石６が、特に加工されることなく図４、図７に示すように３個封入されている。
なお、図１では解りやすいように、あえて直線状に３個配置しているが、実際には図４に示すように概ね環状に配置されている。
【００２４】  小石６の封入個数が例えば４個であるような偶数であると、図６の模式図に示されるように、小石６が血管９の上に位置せず当該血管９を十分加温することができなくなる恐れがあるが、小石６の封入個数が奇数であり、例えば３個であると、図７の模式図に示されるように小石６が前記血管９の上に位置し十分加温できる確率が高くなる。
【００２５】  積層された前記支持体１、面状ヒータ２および小石６が封入された袋体７は外皮体８によって囲繞されている。前記外皮体８の上面に人体が直接的もしくは間接的に接触するもので、外皮体８の大きさは縦横が概ね５ｃｍ、厚さは１ｃｍ程度である。
前記小石６は、前記袋体７の内部で移動し易いように、空間的に余裕をもって封入されている。
【００２６】  前記小石６は、図５に示すように、平行な２枚の仮想平板で挟持した際の最小幅寸法をＸ最大幅寸法をＹとした際にそれぞれがＸ／Ｙ＝０．１〜０．５の範囲に入っている。
Ｘ／Ｙの値が１に近いほどベアリングの玉のような真球に近くなり転動しやすく、その値が小さいほど扁平状もしくは針状となり転動し難くなる。
【００２７】  小石６が移動すると、それに伴い人体に接触する部位が移動し、人体に固定的に接触しないので低温火傷のおそれが低減される。
また、人体との接触部分は真球に近いほど点接触になりやすく、また扁平状であれば面接触になりやすい。
人体との接触部分が点接触であると、この場合も低温火傷のおそれが低減される。
【００２８】  前記袋体７の、前記外皮体８に接触する部分（上面）は炭化綿にて形成されている。この炭化綿としては、デニム生地を炭化させたものが適当である。この袋体７の前記外皮体８に接触する部分は人体に接触する部分でもあり、この部分が炭化綿にて形成されていると、この部分から人体に向けて遠赤外線が放射され、人体の深部まで温められることになる。
【００２９】  また、前記外皮体８の、人体に接触する側面にゲルマニウムが印刷されていることが望ましい。
ゲルマニウムは３２°以上に温められるとマイナス電子を放出する特性があり、このゲルマニウムから放出された無数のマイナス電子は、使用者の皮膚を浸透し、毛細血管に到達して、血液中で電子の移動が行なわれ、結果的に血行や代謝にも良い影響が与えられる。
【００３０】  前記リード線４の、前記ヒータ２に接続されている端部と反対側の端部には、図４に示すようにＵＳＢコネクタ１０が装着され、当該ＵＳＢコネクタ１０は図３に示すような電池パック１１に接続されている。
なお、前記パック１１に、通電をオンオフ制御したり温度設定手段が装着されていてもよい。
【００３１】  本実施の形態では前述のようにコンパクトに形成されているので、容易に携行でき、両行先の飛行機や車などに乗っている際にも、腰や肩に接触させて容易に局部を加温することができる。
【符号の説明】
【００３２】  １    支持体
２    ヒータ
３    電熱線
４    リード線
５    サーモスタット
６    小石（玉体）
７    袋体
８    外皮体
９    血管
１０    ＵＳＢコネクタ
１１    電池パック
【図１】
2018051274.tif 000003
【図２】
2018051274.tif 000004
【図３】
2018051274.tif 000005
【図４】
2018051274.tif 000006
【図５】
2018051274.tif 000007
【図６】
2018051274.tif 000008
【図７】
2018051274.tif 000009